(57)【要約】【課題】大量の入金硬貨の取り扱いが可能であり、硬貨の補充も容易に行うことができ、更に伝票処理を手動で行うことなく自動的に必要な硬貨を補充することができる硬貨取扱装置を提供するものである。【解決手段】硬貨の入金機と出金機が分離された硬貨取扱装置であって、入金機は、出金機に補充する硬貨を収納する補充用容器と、補充を要しない硬貨を収納する通常容器と、入金した硬貨の種別を識別し、種別毎に硬貨の枚数を計数する計数部と、上記出金機に補充する硬貨を前記補充用容器に収納し、該補充用容器が予め設定した重量に達すると、以後入金した硬貨を前記通常容器に収納する制御部とを有し、上記出金機は、前記補充用容器に収納された硬貨の種別を識別する選別部と、該選別部によって選別された硬貨を種別毎に収納する複数の収納容器と、を有することを特徴とする。【選択図】図１
2014149632.tif 000002
【特許請求の範囲】
【請求項１】
硬貨の入金機と出金機が分離された硬貨取扱装置において、
前記入金機は
前記出金機に補充する硬貨を収納する補充容器と、
補充を要しない硬貨を収納する通常容器と、
入金した硬貨の種別を識別し、種別毎に硬貨の枚数を計数する計数部と、
前記出金機に補充する硬貨を前記補充容器に収納し、該補充容器が予め設定した重量に達すると、以後入金した硬貨を前記通常容器に収納する制御部と、を有し、
前記出金機は、
前記補充容器に収納された硬貨の種別を識別する識別部と、
該識別部によって識別された硬貨を種別毎に収納する収納容器と、
を有することを特徴とする硬貨取扱装置。
【請求項２】
前記補充容器に収納する硬貨の枚数は、前記出金機において硬貨の種別毎に収納する収納容器の容器毎に設定された上限値に対応する枚数であることを特徴とする請求項１に記載の硬貨取扱装置。
【請求項３】
前記補充容器の重量は、前記計数部によって計数された種別毎の硬貨の枚数と、硬貨の種別毎の重さを掛け算して求めることを特徴とする請求項１、又は２に記載の硬貨取扱装置。
【請求項４】
前記入金機は入金硬貨を保留する保留容器を備え、入金硬貨を一時保留すると共に、返却指示がある場合、前記保留容器に保留する入金硬貨を返却することを特徴とする請求項１、２、又は３に記載の硬貨取扱装置。
【請求項５】
前記出金機の収納容器毎に設定された硬貨の収納枚数の上限値は、装置が設置される店舗の入出金の硬貨量に合わせて設定されることを特徴とする請求項２、３、又は４に記載の硬貨取扱装置。
【請求項６】
硬貨の入金機と出金機が分離された装置の硬貨取扱方法において、
前記入金機は、
補充容器に前記出金機に補充する硬貨を収納する処理と、
通常容器に補充を要しない硬貨を収納する処理と、
入金した硬貨の種別を識別し、種別毎に硬貨の枚数を計数する処理と、
前記補充用容器が予め設定した重量に達すると、以後入金した硬貨を前記通常容器に収納する処理と、を行い、
前記出金機は、前記補充用容器に収納された硬貨の種別を識別し、識別された硬貨を種別毎に収納容器に収納する処理を行うことを特徴とする硬貨取扱方法。
【請求項７】
前記補充容器に収納する硬貨の枚数は、前記出金機において硬貨の種別毎に収納する収納容器の容器毎に設定された上限値に対応する枚数であることを特徴とする請求項６に記載の硬貨取扱方法。
【請求項８】
コンピュータを硬貨の入金機と出金機が分離された硬貨処理装置として動作させるプログラムであって、
前記入金機側において、
補充容器に前記出金機に補充する硬貨を収納する処理と、
通常容器に補充を要しない硬貨を収納する処理と、
入金した硬貨の種別を識別し、種別毎に硬貨の枚数を計数する処理と、
前記補充用容器が予め設定した重量に達すると、以後入金した硬貨を前記通常容器に収納する処理と、を行い、
前記出金機側において、前記補充用容器に収納された硬貨の種別を識別し、識別された硬貨を種別毎に収納容器に収納する処理と、
をコンピュータに実行させることを特徴とするプログラム。
【発明の詳細な説明】
【技術分野】
【０００１】
本発明は大量の硬貨の入出金を行う硬貨取扱装置に関する。
【背景技術】
【０００２】
従来、銀行等の金融機関における現金機への硬貨の補充は、例えば行員が伝票処理を行い、補充に必要な枚数の硬貨を現金機まで運び補充を行っていた。しかし、今日、現金機での硬貨の入出金の額が大きくなり、大量の硬貨を現金機まで運ぶ必要があり、大変な作業となっている。
【０００３】
そこで、上記問題を改善する為、入金した金銭を出金に自動的に利用するリフター方式のリサイクルキャシャーが採用されている。例えば、ロビー側入金収納部に入金された硬貨をリフターによって自動的にオフィス側の収納庫に補充する方式である。
【０００４】
尚、特許文献１は、入金された硬貨の種別を識別し、種別毎に専用のホッパに収納し、硬貨を補充する際、当該ホッパを補充用カセットとして使用する発明を開示する。また、特許文献２は、種類別に硬貨をセットしたカセットを現金機にセットすることによって、自動的に硬貨を現金機に補充し、硬貨の識別処理や振り分け処理を省略する発明を開示する。さらに、特許文献３は、入金された硬貨を鑑別し、硬貨カセットに収納すると共に、オーバーフローした硬貨を一時保管し、後に硬貨カセットに空きが生じた場合、一時保管した硬貨を対応する種別の硬貨カセットに補充する発明を開示する。
【先行技術文献】
【特許文献】
【０００５】
【特許文献１】特開２００２−２９８１８８号公報
【特許文献２】特開２００２−２２２４４９号公報
【特許文献３】特開２０００−２３５６６１号公報
【発明の概要】
【発明が解決しようとする課題】
【０００６】
しかしながら、上記リフター方式のリサイクルキャシャーでは、現金機内でリフター機構の占める領域が大きく、大量の硬貨を取り扱う場合、障害となっている。この場合、より大量の硬貨を取り扱うため、例えば現金機を大型化することも考えられるが、店舗内の現金機収納スペースに収めることができなくなる。
【０００７】
そこで、本発明はリフター機構を使用することなく、大量の入金硬貨の取り扱いが可能であり、硬貨の補充も容易に行うことができ、更に伝票処理を手動で行うことなく自動的に必要な硬貨を補充することができる硬貨取扱装置を提供するものである。
【課題を解決するための手段】
【０００８】
硬貨の入金機と出金機が分離された硬貨取扱装置において、入金機は上記出金機に補充する硬貨を収納する補充容器と、補充を要しない硬貨を収納する通常容器とを備え、入金した硬貨の種別を識別し、種別毎に硬貨の枚数を計数し、上記出金機に補充する硬貨を補充容器に収納し、該補充容器が予め設定した重量に達すると、以後入金した硬貨を上記通常容器に収納し、上記出金機に対して、上記補充容器に収納された硬貨の補充を行い、硬貨の種別毎に硬貨を複数の容器に収納することを特徴とする。
【０００９】
このように構成することによって、補充容器を上記出金機に移動する際、予め設定した容易に運搬可能な重量の補充容器を出金機に運べばよく、補充容器の移動を容易に行うことができる。
【００１０】
また、上記補充容器に収納する硬貨の枚数は、出金機において硬貨の種別毎に収納する収納容器の容器毎に設定された上限値に対応する枚数であり、補充容器に収納された硬貨を全て出金機に補充すると、各収納容器に上限枚数の硬貨を自動的に入金することができる。
【発明の効果】
【００１１】
本発明によれば、硬貨の補充が容易であり、自動的に必要な硬貨を補充することができる硬貨取扱装置を提供するものである。
【図面の簡単な説明】
【００１２】
【図１】本実施形態の硬貨取扱装置を含む現金機の全体構成図である。
【図２】（ａ）は、硬貨の枚数管理データベースを示す図であり、オフィス側とロビー側における硬貨の種別毎の枚数管理情報を記憶する。（ｂ）は、補充カセットのデータベースであり、補充カセットに収納可能な硬貨の重量上限値と、現在の補充用カセットの重量値を記憶する。
【図３】ロビー側入金機の処理を説明するフローチャートである。
【図４】ロビー側入金機の処理を説明するフローチャートである。
【図５】オフィス側入出金機の処理を説明するフローチャートである。
【図６】補充カセットの取り出し操作を示す模式図である。
【発明を実施するための形態】
【００１３】
以下、本発明の実施の形態について図面を参照しながら説明する。
図１は本実施形態の硬貨取扱装置を含む現金機の全体構成図である。同図において、現金機１はロビー側入金機２とオフィス側入出金機３で構成され、ロビー側入金機２とオフィス側入出金機３は壁等によって仕切られ、ロビー側入金機２は店舗の顧客スペースであるロビー側に位置し、オフィス側入出金機３は行員専用スペースであるオフィス側に位置している。
【００１４】
ロビー側入金機２は硬貨を入れる入金口５、供給ホッパ６、硬貨繰出し部７、選別部８、一次保留部９、入金収納部１０、入金リジェクト箱１１、入金返却箱１２を備える。入金口５は硬貨の投入口であり、シャッタ５ａを備え、顧客はこの入金口５から硬貨を入れる。供給ホッパ６は上記入金口５に入力した硬貨を保持する容器であり、顧客による入金処理の終了、又は供給ホッパ６が硬貨で満たされると硬貨繰出し部７によって選別部８に硬貨が出力される。
【００１５】
選別部８は硬貨繰出し部７によって供給ホッパ６から出力される硬貨の種別を識別する。具体的には、入力された硬貨が、１円硬貨であるか、５円硬貨であるか、１０円硬貨であるか、５０円硬貨であるか、１００円硬貨であるか、５００円硬貨であるか識別する。選別部８によって識別された硬貨は一次保留部９に保留される。尚、上記選別部８によって識別できなかった硬貨は入金リジェクト箱１１に排出される。
【００１６】
一次保留部９は一次保留通常部９ａ、９ｂと、一次保留補充部９ｃの３個の容器で構成され、選別部８によって識別された硬貨は、後述する処理に従って対応する一次保留通常部９ａ、９ｂ、又は一次保留補充部９ｃに保留される。
【００１７】
また、上記一次保留通常部９ａ、９ｂ、一次保留補充部９ｃに対応して、入金収納部１０には３台のカセットが配設されている。例えば、通常カセット１０ａは一次保留通常部９ａの下方に配設され、一次保留通常部９ａに保留された硬貨を収納する。また、通常カセット１０ｂは一次保留通常部９ｂの下方に配設され、一次保留通常部９ｂに保留された硬貨を収納する。同様に、補充カセット（補充容器としての補充カセット）１０ｃは一次保留補充部９ｃの下方に配設され、一次保留補充部９ｃに保留された硬貨を収納する。尚、入金収納部１０は後述する引出方式の収納部である。
【００１８】
入金返却箱１２は、例えば顧客の返却指示に基づいて一次保留部９（一次保留通常部９ａ、９ｂ、一次保留補充部９ｃ）に保留された硬貨を返却する為の箱である。尚、顧客の返却指示は、例えばロビー側入金機２に設けられた不図示の返却指示ボタンを押下することによって行われる。
【００１９】
一方、オフィス側入出金機３は補充用の硬貨を投入する入金口１５、供給ホッパ１６、硬貨繰出し部１７、選別部１８、一次保留部１９、入金収納部２０、入金リジェクト箱２１、入金返却箱２２、出金箱２３、出金リジェクト箱２４を備える。入金口１５はオフィス側入出金機３に補充する硬貨の投入口であり、前述の入金口５と同様シャッタ１５ａを備える。供給ホッパ１６は上記入金口１５から補充された硬貨を保持し、供給ホッパ１６が硬貨で満たされると硬貨繰出し部１７によって、選別部１８に出力される。
オフィス側入出金機３は当該補充可能な出金機である。（以後入出金機で示す。）
【００２０】
選別部１８は、硬貨繰出し部１７を介して入力する硬貨の種別を識別し、一次保留部１９に保留する。この一次保留部１９は前述のロビー側入金機２側の一次保留部９と異なり、硬貨の種別毎に容器を備える。例えば、１円硬貨は一次保留部１９ａに保留し、５円硬貨は一次保留部１９ｂに保留し、１０円硬貨は一次保留部１９ｃに保留し、５０円硬貨は一次保留部１９ｄに保留し、１００円硬貨は一次保留部１９ｅに保留し、５００円硬貨は一次保留部１９ｆに保留する。尚、入金リジェクト箱２１には上記選別部１８によって識別できなかった硬貨が収納される。また、オフィス側からの返却指示に基づいて、一次保留部１９に保留された硬貨を入金返却箱２２に返却することも可能である。
【００２１】
入金収納部２０は上記一次保留部１９ａ〜１９ｆに対応して６個の収納部を備え、例えば入金収納部２０ａは上記一次保留部１９ａに保留した１円硬貨を収納し、入金収納部２０ｂは一次保留部１９ｂに保留した５円硬貨を収納し、以下入金収納部２０ｃ〜２０ｆは対応する一次保留部１９ｃ〜１９ｆに保留した１０円、５０円、１００円、５００円の各硬貨を収納する。
【００２２】
上記現金機１はＣＰＵ、ＲＯＭ、ＲＡＭ、ＥＥＰＲＯＭ等の不揮発性メモリを備えた制御部を備え、ＣＰＵはＲＯＭに記憶されたプログラムに従って本例の現金機１のシステム制御を行う。また、ＲＡＭはＣＰＵが行う各種処理のワークエリアとして使用される。一方、不揮発性メモリには以下のデータベースが構築されている。
【００２３】
図２（ａ）、（ｂ）はその一例を示す。先ず、図２（ａ）は硬貨の枚数管理データベースであり、オフィス側とロビー側における硬貨の種別毎の枚数管理情報を記憶する。具体的には、オフィス側の入金収納部２０に収納されている硬貨を種別毎に記憶する入金収納部枚数記憶部と、その上限枚数を記憶する上限枚数記憶部で構成されている。一方、ロビー側については、通常カセット１０ａ、１０ｂ、補充カセット１０ｃに収納される硬貨の枚数を硬貨の種別毎に記憶する通常カセット枚数記憶部と補充カセット枚数記憶部、及び現在の保持枚数を硬貨の種別毎に記憶する現在の保持枚数記憶部で構成されている。
【００２４】
また、図２（ｂ）は、補充カセット１０ｃに関するデータベースであり、補充カセット１０ｃに収納可能な硬貨の重量上限値と、現在の補充カセット１０ｃの重量値を記憶する。尚、補充カセット１０ｃの重量値は、例えば硬貨の種別毎に硬貨の重さに当該硬貨の枚数を掛け算し、その合計値を計算して得る。具体的には以下の計算式によって計算する。
補充カセット１０ｃの重量値＝（１円硬貨の重さ（1.0g）×枚数）＋（５円硬貨の重さ（3,75g）×枚数）＋（１０円硬貨の重さ（4,5g）×枚数）＋（５０円硬貨の重さ（4,0g）×枚数）＋（１００円硬貨の重さ（4,8g）×枚数）＋（５００円硬貨の重さ（7,0g）×枚数）＋補充カセット自体の重さ
【００２５】
以上の構成の現金機１において、以下に本例の処理動作を説明する。
先ず、ロビー側入金機２の処理を説明する。図３及び図４はロビー側入金機２の処理を説明するフローチャートである。先ず、入金処理を行う（ステップ（以下、Ｓで示す）１）。例えば、店舗に出向いた顧客がロビー側入金機２に向かい、入金操作を行うとシステムが稼働し、入金処理を行う。そして、前述のシャッタ５ａを駆動し、入金口５を開き（Ｓ２）、顧客の硬貨の入力を待つ。
【００２６】
次に、供給ホッパ６がフルではないか判断する（Ｓ３）。この判断は、例えば不図示のセンサによって供給ホッパ６に一定量の硬貨が溜まったか判断し、供給ホッパ６がフルでなければ（Ｓ３がＹＥＳ）、顧客が入金操作を完了し、例えば入金完了ボタンを押下するのを待つ（Ｓ４がＮＯ）。したがって、この間供給ホッパ６には顧客が入金する硬貨が保持され、徐々に供給ホッパ６内に顧客が入金した硬貨が溜まっていく。
【００２７】
その後、顧客が入金操作を完了し、不図示の入金完了ボタンを押下すると（Ｓ４がＹＥＳ）、入金口５を閉じ（Ｓ５）、硬貨の識別処理を行う（Ｓ６）。尚、この間に供給ホッパ６がフルになった場合（Ｓ３がＮＯ）、初期時“０”であるフル検知フラグを“１”にセットし（Ｓ７）、入金口５を閉じ（Ｓ５）、供給ホッパ６に溜まって硬貨の識別処理を行う（Ｓ６）。この場合、ロビー側入金機２には、対応する表示が行われ、顧客は入金操作を一時中断し、入金口５が開くのを待つ。
【００２８】
次の識別処理、硬貨搬出完了チェック（Ｓ６）は、硬貨繰出し部７によって供給ホッパ６から順次硬貨を繰り出し、硬貨の種別を識別する処理であり、硬貨１枚毎に硬貨繰出し部７から繰り出される硬貨の搬出チェックを行う。
【００２９】
次に、現在の補充カセット１０ｃの重量値が重量上限値に達したか判断する（Ｓ８）。この判断は、現在までに補充カセット１０ｃに収納される硬貨の枚数に基づいて、前述の計算式によって重量を計算する。例えば、現在までに補充カセット１０ｃに収納された硬貨の枚数が、１円硬貨１０枚、５円硬貨１０枚、１０円硬貨２０枚、５０円硬貨１０枚、１００円硬貨３０枚、５００円硬貨１０枚であれば、前述の計算式に従って、以下の計算が行われる。
現在の補充カセット１０ｃの重さ＝（１円硬貨の重さ（1.0g）×１０）＋（５円硬貨の重さ（3,75g）×１０）＋（１０円硬貨の重さ（4,5g）×２０）＋（５０円硬貨の重さ（4,0g）×１０）＋（１００円硬貨の重さ（4,8g）×３０）＋（５００円硬貨の重さ（7,0g）×１０）＋補充カセット自体の重さ（例えば、２．０Ｋｇ）
【００３０】
上記計算結果に基づいて、補充カセット１０ｃの現在の重量値が重量上限値に達していなければ（Ｓ８がＹＥＳ）、更に次の判断（Ｓ９）に移行する。初期時、空の補充カセット１０ｃの重量は自重のみであり軽く、当初硬貨の入金があっても通常、重量上限値には達しない。
【００３１】
次の判断（Ｓ９）は、補充カセット１０ｃの硬貨枚数が硬貨上限枚数に達しているか判断するものであり、前述の図２（ａ）のオフィス側の入金収納部２０に収納されている種別毎の硬貨の上限枚数に補充カセット１０ｃの硬貨枚数に達しているか判断する。
【００３２】
ここで、補充カセット１０ｃの硬貨枚数が上記硬貨上限枚数に達していなければ（Ｓ９がＮＯ）、補充カセット用ゲート処理を行う（Ｓ１０）。この処理は、硬貨を補充カセット１０ｃに移動させる為のゲートを駆動する処理であり、このゲート処理によって選別部８によって識別された硬貨は補充カセット１０ｃに対応する一次保留補充部９ｃに入る（落ちる）。
【００３３】
その後、硬貨枚数の情報を保持し（Ｓ１１）、データベースに硬貨枚数の情報を書き込む（Ｓ１２）。すなわち、顧客が入金した硬貨の種別と枚数の情報が保持され、図２（ａ）に示すデータベースの対応するエリアに枚数が加算される。例えば、１００円硬貨が入金された場合、図２（ａ）に示す補充カセットの１００円のエリアに“１”が加算される。また、５００円硬貨が入金された場合、同図（ａ）に示す補充カセットの５００円のエリアに“１”が加算される。
【００３４】
次に、一次保留部９（一次保留補充部９ｃ）がフルではないか判断し（Ｓ１３（図４に示すフローチャート））、フルでなければ（Ｓ１３がＹＥＳ）、硬貨の排出処理が完了したか判断する（Ｓ１４）。ここで、供給ホッパ６内に硬貨が残っており、硬貨の排出処理が完了していない場合（Ｓ１４がＮＯ）、供給ホッパ６に残る硬貨について上記処理を繰り返す（Ｓ６〜Ｓ１４）。
【００３５】
すなわち、硬貨繰出し部７によって供給ホッパ６から残る硬貨を順次繰り出し、硬貨の種別を識別し（Ｓ６）、現在の補充カセット１０ｃの重量値が重量上限値に達したか判断し（Ｓ８）、更に補充カセット１０ｃの硬貨枚数が硬貨上限枚数に達しているか判断する（Ｓ９）。そして、何れの判断も上限に達していなければ、補充カセット用ゲート処理を行い（Ｓ１０）、硬貨枚数の情報を保持し（Ｓ１１）、データベースに硬貨枚数の書き込み処理を行う（Ｓ１２）。
【００３６】
その後、同じ顧客の硬貨排出処理が完了すると（Ｓ１４がＹＥＳ）、現状の硬貨枚数を表示する（Ｓ１５）。この表示はロビー側入金機２に設けられた不図示のディスプレイに行われ、顧客はこの表示を確認することができる。ここで、顧客は何らかの理由により、入金した硬貨を返却したい場合、返却指示を行うことが可能である。この場合、前述のように、ロビー側入金機２に設けられた不図示の返却指示ボタンを押下することによって、上記一次保留部９（例えば、一次保留補充部９ｃ）に保留されている硬貨を入金返却箱１２に戻すことができる。
【００３７】
次に、ロビー側入金機２は初期時“０”（返却しない）に設定された返却フラグの判断を行い（Ｓ１６）、上記返却指示ボタンが押下されていないか判断する（Ｓ１７）。ここで、返却指示ボタンが押下されず、入金した硬貨を返却しない場合（Ｓ１７がＹＥＳ）、上記返却フラグを“１”にセットし（Ｓ１８）、硬貨枚数の情報を“０”にリセットし（Ｓ１９）、一次保留補充部９ｃに保留された硬貨を対応する補充カセット１０ｃに収納する（Ｓ２０）。すなわち、入金した硬貨の返却指示がないので、保持した硬貨枚数の情報を保持する必要がなく、硬貨枚数の情報をリセットし、一次保留補充部９ｃに保留した硬貨を対応する補充カセット１０ｃに収納する。
【００３８】
その後、前述のフル検知フラグが“０”にセットされているか判断し（Ｓ２１）、フル検知フラグが“０”にセットされていれば（Ｓ２１がＹＥＳ）、上記返却フラグを“０”に戻し、当該顧客に対する入金処理を終了する（Ｓ２２）。
【００３９】
尚、フル検知フラグが“１”に設定されている場合（Ｓ２１がＮＯ）、即ち顧客が入金操作を行っている際、供給ホッパ６がフルになった場合、顧客に入金操作を再開させる為、フル検知フラグを“０”に戻し（Ｓ２３）、前述のシャッタ５ａを駆動し、入金口５を開く（Ｓ２）。したがって、この場合顧客は中断した入金操作を再開し、ロビー側入金機２は上記と同様、補充カセット１０ｃへの硬貨の入金処理を行う（Ｓ３〜Ｓ２２）。
【００４０】
一方、顧客が返却指示ボタンを押下し、入金した硬貨の返却を行う場合（Ｓ１７がＮＯ）、前述のデータベースから硬貨枚数を減算する（Ｓ２４）。すなわち、前述の処理（Ｓ１２）によってデータベースに書き込んだ硬貨の枚数を減算する。この処理も硬貨の種別毎に行い、例えば顧客が入金した硬貨が１００円５枚、５００円３枚である場合、図２（ａ）に示すデータベースの対応するエリアから上記枚数を減算し、新たな硬貨枚数をデータベースに書き込む（Ｓ２５）。その後、顧客が入金した硬貨の返却処理を行い（Ｓ２６）、硬貨枚数の保持情報を“０”にリセットし（Ｓ２７）、返却フラグを“０”に戻す（Ｓ２２）。
【００４１】
尚、前述の判断（Ｓ１３）において、一次保留部９（一次保留補充部９ｃ）がフルである場合（Ｓ１３がＮＯ）、一次保留部９に溜まった硬貨の処理を先に行なう。すなわち、前述と同様、返却フラグの判断を行い（Ｓ２８）、上記返却指示ボタンが押下されていないか判断し（Ｓ２９）、入金した硬貨を返却しない場合（Ｓ２９がＹＥＳ）上記返却フラグを“１”にセットし（Ｓ３０）、一次保留補充部９ｃに保留された硬貨を対応する補充カセット１０ｃに収納する（Ｓ３１）。一方、顧客が返却指示ボタンを押下し、入金した硬貨の返却を行う場合（Ｓ２９がＮＯ）、前述と同様、データベースから硬貨枚数を減算し（Ｓ２４）、新たな硬貨枚数をデータベースに書き込み（Ｓ２５）、前述の返却処理を行い（Ｓ２６）、硬貨枚数保持をリセットし（Ｓ２７）、返却フラグを“０”に戻す（Ｓ２２）。
【００４２】
以上の処理は新たな顧客がロビー側入金機２を操作して入金処理を行う毎に実行され、補充カセット１０ｃには顧客の入金した硬貨が徐々に溜まっていく。そして、現在の補充カセット１０ｃの重量値が重量上限値に達すると（Ｓ８がＮＯ）、補充カセット１０ｃがフルとなり（Ｓ３２）、通常カセット用ゲート処理を行う（Ｓ３３）。この処理は、補充カセット１０ｃがフルであり、これ以上補充カセット１０ｃに硬貨を収納できない為、以後の入金硬貨を通常カセットに収納させる処理である。
【００４３】
したがって、以後入金された硬貨は通常カセット１０ａ、１０ｂに対応した一次保留通常部９ａ、９ｂに収納される。尚、最初に何れの一次保留通常部９ａ又は９ｂを使用するかは任意であり、予め設定された順序で以後の入金硬貨が一次保留通常部９ａ又は９ｂに収納され、一次保留通常部９ａに保留された硬貨は対応する通常カセット１０ａに収納され、一次保留通常部９ｂに保留された硬貨は対応する通常カセット１０ｂに収納される。
以上のように処理することによって、補充カセット１０ｃの重量は予め設定した上限値の重量であり、オフィス側入出金機３への硬貨の補給の際の持ち運びが容易であり、従来問題となっていた硬貨の補充を容易に行うことができる。
【００４４】
一方、通常カセット用ゲート処理（Ｓ３３）は、上記以外の場合でも発生する。すなわち、補充カセット１０ｃの硬貨枚数が硬貨上限枚数に達した場合である（Ｓ９がＹＥＳ）。オフィス側入出金機３側の上限枚数は店舗毎に入金や出金の硬貨量や回数に合わせて設定されており、硬貨の種別毎に適切な値に設定されている。
【００４５】
したがって、上記判断は硬貨の種別毎に行われ、例えば１００円硬貨が上限枚数に達している場合、新たに１００円硬貨が入金されると、通常カセット用ゲート処理が行われ、入金された１００円硬貨は、一次保留通常部９ａ又は９ｂに保留され、対応する通常カセット１０ａ、１０ｂに収納される。他の硬貨についても同様である。
【００４６】
このように処理することによって、補充カセット１０ｃに収納された硬貨をオフィス側入出金機３に補充する際、入金収納部２０の各収納部２０ａ〜２０ｆに必要な枚数の硬貨が自動的に補給されることになる。
【００４７】
次に、上記補充カセット１０ｃに収納された硬貨をオフィス側入出金機３に補充する処理について説明する。図５はこの処理を説明するフローチャートである。
【００４８】
先ず、補充処理、ＩＤの保持を行う（ステップ（以下、ＳＴで示す）１）。この処理は、例えば硬貨の補充を行う行員（カード）のＩＤを保持する処理であり、補充処理を行う際、カードをカードリーダに通し、上記ＩＤによって硬貨の補充者や補充時刻を管理する。
【００４９】
次に、補充カセット１０ｃの取り出しを待つ（ＳＴ２）。図６は補充カセット１０ｃの取り出し操作を示す模式図である。前述のように入金収納部１０は引出式であり、ロック部２５を備える。この為、補充者（例えば行員）が入金収納部１０を引き出すと、同図に示す位置でロックが掛かり、これ以上引き出すことができない。この状態は、補充カセット１０ｃのみ取り出せる状態であり、補充者は入金収納部１０から補充カセット１０ｃを取り出す。
【００５０】
この間、オフィス側入出金機３のディスプレイには補充状態の画面表示が行われる（ＳＴ３）。尚、通常カセット１０ａ、１０ｂの取り出しについては、例えば警備会社がロックを解除し、入金収納部１０を全部引出して行う。
【００５１】
入金収納部１０から取り出した補充カセット１０ｃは、オフィス側入出金機３に運ばれるが、前述のように補充カセット１０ｃの重量は予め設定した上限値の重量であり、オフィス側入出金機３へ運ぶ際、持ち運びが容易であり、例えば女子行員でも容易に運ぶことができる重量に上限値を設定することもできる。
【００５２】
次に、オフィス側入金処理を行う（ＳＴ４）。この処理はオフィス側入出金機３に運ばれた補充カセット１０ｃ内の硬貨を入金口１５から投入し、入金収納部２０に収納するまでの処理である。具体的には入金口１５のシャッタ１５ａを開き、補充カセット１０ｃに収納された硬貨を供給ホッパ１６に投入し、選別部１８によって硬貨繰出し部１７から順次送られる硬貨の種別を識別し、一次保留部１９ａ〜１９ｆに保留した後、対応する入金収納部２０ｃ〜２０ｆに硬貨を収納する処理である。尚、上記処理において識別できない硬貨は入金リジェクト箱２１に排出される。
【００５３】
上記処理が完了すると（ＳＴ５）、硬貨の入金枚数とＩＤを通知し、補充金額を記録する（ＳＴ６）。そして、補充カセット１０ｃに収納された硬貨の枚数と入金された硬貨の枚数を比較し（ＳＴ７）、一致すれば（ＳＴ７がＹＥＳ）、補充カセット無し状態を報知するアラームが設定され（ＳＴ８がＮＯ、ＳＴ９）、例えば行員が補充カセット１０ｃを元の位置に戻すことによってアラームが解除され（ＳＴ８がＹＥＳ、ＳＴ１０）、硬貨の補充処理が完了する。
【００５４】
しかし、供給ホッパ１６の容量はそれ程大きくないので、通常１回の硬貨の補充では補充カセット１０ｃに収納された全ての硬貨を入金することができない。そこで、補充カセット１０ｃに収納された硬貨を分けて入金することが多く、この場合補充カセット１０ｃに収納された硬貨の枚数と入金された硬貨の枚数が一致しない（ＳＴ７がＮＯ）。
【００５５】
したがって、この場合硬貨の補充枚数と入金枚数が異なるのでアラームが鳴り（ＳＴ１１）、硬貨の残確認を促す（ＳＴ１２）。そこで、硬貨がある場合（ＳＴ１２がＮＯ）、即ち補充カセット１０ｃに硬貨が残っている場合、上記アラームを解除し（ＳＴ１３）、補充カセット１０ｃに残る硬貨の入金処理を続ける（ＳＴ４）。したがって、上記のようにして入金処理を繰り返すことによって（ＳＴ４〜ＳＴ７、ＳＴ１１〜ＳＴ１３）、補充カセット１０ｃに収納された硬貨の枚数と入金された硬貨の枚数が一致し（ＳＴ７がＹＥＳ）、上記と同様にして入金処理（補充処理）を完了する。
【００５６】
尚、補充カセット１０ｃに収納された硬貨の枚数と入金された硬貨の枚数が一致せず（ＳＴ７がＮＯ）、且つ補充カセット１０ｃに残る硬貨がない場合（ＳＴ１２がＹＥＳ）、上記アラームが解除されることがなく、対応する処理（エラー処理）を行う。
【００５７】
以上の様に処理することによって、補充カセット１０ｃに収納された硬貨の枚数は、硬貨の種別毎にオフィス側入出金機３の入金収納部２０の各収納部２０ａ〜２０ｆの上限枚数に対応する枚数であり、補充カセット１０ｃに収納された硬貨を全てオフィス側入出金機３に補充すると、各収納部２０ａ〜２０ｆには上限枚数の硬貨が自動的に入金されることになる。したがって、従来行っていた入出金の伝票処理を行うことなく自動的に必要な硬貨を補充することができる。
【符号の説明】
【００５８】
１      現金機
２      ロビー側入金機
３      オフィス側入出金機
５      入金口
５ａ      シャッタ
６      供給ホッパ
７      硬貨繰出し部
８      選別部
９      一次保留部
９ａ、９ｂ      一次保留通常部
９ｃ      一次保留補充部
１０      入金収納部
１０ａ、１０ｂ      通常カセット
１０ｃ      補充カセット
１１      入金リジェクト箱
１２      入金返却箱
１５      入金口
１５ａ      シャッタ
１６      供給ホッパ
１７      硬貨繰出し部
１８      選別部
１９、１９ａ〜１９ｆ      一次保留部
２０      入金収納部
２０ａ〜２０ｆ      各収納部
２１      入金リジェクト箱
２２      入金返却箱
２３      出金箱
２４      出金リジェクト箱
２５      ロック部
【図１】
2014149632.tif 000003
【図２】
2014149632.tif 000004
【図３】
2014149632.tif 000005
【図４】
2014149632.tif 000006
【図５】
2014149632.tif 000007
【図６】
2014149632.tif 000008